(57)【特許請求の範囲】
【請求項１】
支持部材と、中継基板と、複数のコネクタと、複数の被支持基板とを備えるモジュールであって、
前記支持部材は、前記被支持基板を支持する基板支持部を有しており、幅方向及び前記幅方向と直交する前後方向の双方に延びており、前記前後方向における両端部に第１端部と第２端部とを有しており、
前記中継基板は、前記幅方向及び前記前後方向の双方に直交する高さ方向において前記中継基板を貫通する複数の受容部を備えており、前記受容部が前記幅方向に沿って配列されるようにして前記支持部材の前記第１端部上に搭載されており、
前記コネクタは、前記被支持基板が夫々挿入される挿入口を備えており、前記挿入口を前記支持部材の前記第２端部に向けるようにして前記受容部に夫々挿入されており、
前記被支持基板は、前記前後方向に沿って前記コネクタの前記挿入口に挿入・接続される固定端部と、前記前後方向における反対側の端部である自由端部とを有し、前記支持部材の前記基板支持部に支持されており、
前記支持部材の前記基板支持部は、前記前後方向における前記第１端部と前記第２端部との間に、前記高さ方向と直交する支持面を有しており、
前記第１端部は、前記高さ方向において前記支持面の下方に位置しており、
前記中継基板は、前記高さ方向と直交する上面を有しており、
前記支持部材の前記支持面と前記中継基板の前記上面とは、前記高さ方向において同じ位置に配置されている
モジュール。
【請求項２】
請求項１記載のモジュールであって、
前記被支持基板は、前記支持部材による支持の他は前記固定端部のみによって片持ち梁状に支持されている
モジュール。
【請求項３】
請求項１又は請求項２記載のモジュールであって、
前記中継基板の前記受容部は、前記幅方向及び前記前後方向において前記中継基板の内壁によって囲まれた孔である
モジュール。
【請求項４】
請求項１乃至請求項３のいずれかに記載のモジュールのコネクタであって、
前記中継基板の前記受容部に部分的に挿入されるハウジングと、前記被支持基板と接続するバネ部と、前記被支持基板を支持する支持部と、前記ハウジングを前記中継基板に固定するホールドダウンとを備えており、
前記ハウジングは、前記前後方向に沿って前記挿入口から後端まで連通する挿入孔を備えており、
前記バネ部と前記支持部とは、前記挿入孔内を前記前後方向に沿って延びるようにして前記ハウジングに支持されており、
前記バネ部は前記高さ方向において弾性変形可能となるように支持されており、前記バネ部の前端部分には接触部が形成されており、
前記接触部は、前記高さ方向において前記支持部の上方に位置して下方に突出しており、且つ前記高さ方向において変位可能であり、これによって、前記接触部と前記支持部とは前記挿入孔内に挿入された前記被支持基板を前記高さ方向において挟み込むことが可能であり、
前記ホールドダウンは、前記ハウジングに保持される第１被保持部と、前記中継基板に固定される第１被固定部とを備えている
コネクタ。
【請求項５】
請求項４記載のコネクタであって、
前記支持部の前端部分は、前記高さ方向において弾性変位可能となるように支持されている
コネクタ。
【請求項６】
請求項４又は請求項５記載のコネクタであって、
コンタクトを備えており、
前記バネ部と前記支持部とは、前記コンタクトの一部である
コネクタ。
【請求項７】
請求項６記載のコネクタであって、
前記バネ部と前記支持部とは、前記幅方向において間隔を開けて配置されている
コネクタ。
【請求項８】
請求項４乃至請求項７のいずれかに記載のコネクタであって、
前記支持部と一体に形成された第２被保持部及び第２被固定部であって、前記ハウジングに保持される前記第２被保持部と、前記中継基板に固定される前記第２被固定部とを備えており、
前記第１被保持部は、前記前後方向における前方から前記ハウジングに圧入されており、
前記第２被保持部は、前記前後方向における後方から前記ハウジングに圧入されている
コネクタ。
【請求項９】
請求項８記載のコネクタであって、
前記支持部は、前記高さ方向において前記第２被固定部の下方に位置している
コネクタ。
【請求項１０】
請求項８又は請求項９記載のコネクタであって、
前記第２被保持部と前記第２被固定部との間に、前記第２被固定部から上方に隆起するように曲げられた曲げ部が形成されている
コネクタ。
【請求項１１】
請求項４乃至請求項１０のいずれかに記載のコネクタであって、
前記ハウジングは、前記中継基板の前記受容部に部分的に挿入される本体部と、前記本体部から前記幅方向に突出した側部とを備えており、
前記側部には、前記本体部が前記受容部に挿入された状態において前記中継基板の上に位置する煽り防止部が設けられている
コネクタ。
【請求項１２】
請求項４乃至請求項１１のいずれかに記載のコネクタであって、
前記接触部には、下方に突出したリブが形成されている
コネクタ。
【請求項１３】
請求項４乃至請求項１２のいずれかに記載のコネクタであって、
前記支持部の前端部分は、前記高さ方向において先細るように形成されている
コネクタ。
【発明の詳細な説明】
【技術分野】
【０００１】
本発明は、被支持基板を片持ち梁状に支持する落とし込みタイプのコネクタ及びコネクタを備えるモジュールに関する。ここで、被支持基板は、例えばＬＥＤ（Light Emitting Diode）が搭載されたＬＥＤ搭載基板であり、モジュールは、例えばバックライトモジュールである。
【背景技術】
【０００２】
落とし込みタイプのコネクタを備えるモジュールとしては、例えば、特許文献１に開示されたものがある。特許文献１のバックライトモジュール（モジュール）は、両端部分に取付孔が形成された取付板と、取付孔に挿入されるコネクタと、蛍光灯（単芯のバックライト）とを備えている。蛍光灯は、その両端がコネクタと夫々接続され、両持ち梁状に支持される（図２０参照）。一方、近年では、特許文献２に開示されているように、バックライトとしてＬＥＤ搭載基板（２芯のバックライト）が使用されることも多い（図２１参照）。
【先行技術文献】
【特許文献】
【０００３】
【特許文献１】特開２００９−１４６８６２号公報
【特許文献２】特開２０１１−２３２２４号公報
【発明の概要】
【発明が解決しようとする課題】
【０００４】
特許文献２に開示されているようなＬＥＤ搭載基板をバックライトモジュールに使用する場合、電気的にはＬＥＤ搭載基板の一端のみをコネクタと接続すれば足りる。しかしながら、ＬＥＤ搭載基板のような一端のみに電気的な接続部を備えた被支持基板であっても、安定的に支持するためにはコネクタに接続された端部とは反対側の端部も支持する必要がある。このような被支持基板を従来のように両持ち梁状に支持する場合、被支持基板の両端をコネクタ等に接続するための取付作業が必要になる。
【０００５】
そこで、本発明は、コネクタとコネクタに接続される被支持基板とを備えるモジュールであって、被支持基板の取付作業を簡易化することが可能なモジュールを提供することを目的とする。
【課題を解決するための手段】
【０００６】
本発明は、第１のモジュールとして、
支持部材と、中継基板と、複数のコネクタと、複数の被支持基板とを備えるモジュールであって、
前記支持部材は、前記被支持基板を支持する基板支持部を有しており、幅方向及び前記幅方向と直交する前後方向の双方に延びており、前記前後方向における両端部に第１端部と第２端部とを有しており、
前記中継基板は、前記幅方向及び前記前後方向の双方に直交する高さ方向において前記中継基板を貫通する複数の受容部を備えており、前記受容部が前記幅方向に沿って配列されるようにして前記支持部材の前記第１端部上に搭載されており、
前記コネクタは、前記被支持基板が夫々挿入される挿入口を備えており、前記挿入口を前記支持部材の前記第２端部に向けるようにして前記受容部に夫々挿入されており、
前記被支持基板は、前記前後方向に沿って前記コネクタの前記挿入口に挿入・接続される固定端部と、前記前後方向における反対側の端部である自由端部とを有し、前記支持部材の前記基板支持部に支持されている
モジュールを提供する。
【０００７】
本発明は、第２のモジュールとして、第１のモジュールであって、
前記被支持基板は、前記支持部材による支持の他は前記固定端部のみによって片持ち梁状に支持されている
モジュールを提供する。
【０００８】
本発明は、第３のモジュールとして、第１又は第２のモジュールであって、
前記支持部材の前記基板支持部は、前記前後方向における前記第１端部と前記第２端部との間に、前記高さ方向と直交する支持面を有しており、
前記第１端部は、前記高さ方向において前記支持面の下方に位置している
モジュールを提供する。
【０００９】
本発明は、第４のモジュールとして、第３のモジュールであって、
前記中継基板は、前記高さ方向と直交する上面を有しており、
前記支持部材の前記支持面と前記中継基板の前記上面とは、前記高さ方向において同じ位置に配置されている
モジュールを提供する。
【００１０】
本発明は、第５のモジュールとして、第１乃至第４のいずれかのモジュールであって、
前記中継基板の前記受容部は、前記幅方向及び前記前後方向において前記中継基板の内壁によって囲まれた孔である
モジュールを提供する。
【００１１】
本発明は、第１のコネクタとして、第１乃至第５のいずれかのモジュールのコネクタであって、
前記中継基板の前記受容部に部分的に挿入されるハウジングと、前記被支持基板と接続するバネ部と、前記被支持基板を支持する支持部と、前記ハウジングを前記中継基板に固定するホールドダウンとを備えており、
前記ハウジングは、前記前後方向に沿って前記挿入口から後端まで連通する挿入孔を備えており、
前記バネ部と前記支持部とは、前記挿入孔内を前記前後方向に沿って延びるようにして前記ハウジングに支持されており、
前記バネ部は前記高さ方向において弾性変形可能となるように支持されており、前記バネ部の前端部分には接触部が形成されており、
前記接触部は、前記高さ方向において前記支持部の上方に位置して下方に突出しており、且つ前記高さ方向において変位可能であり、これによって、前記接触部と前記支持部とは前記挿入孔内に挿入された前記被支持基板を前記高さ方向において挟み込むことが可能であり、
前記ホールドダウンは、前記ハウジングに保持される第１被保持部と、前記中継基板に固定される第１被固定部とを備えている
コネクタを提供する。
【００１２】
本発明は、第２のコネクタとして、第１のコネクタであって、
前記支持部の前端部分は、前記高さ方向において弾性変位可能となるように支持されている
コネクタを提供する。
【００１３】
本発明は、第３のコネクタとして、第１又は第２のコネクタであって、
コンタクトを備えており、
前記バネ部と前記支持部とは、前記コンタクトの一部である
コネクタを提供する。
【００１４】
本発明は、第４のコネクタとして、第３のコネクタであって、
前記バネ部と前記支持部とは、前記幅方向において間隔を開けて配置されている
コネクタを提供する。
【００１５】
本発明は、第５のコネクタとして、第１乃至第４のいずれかのコネクタであって、
前記支持部と一体に形成された第２被保持部及び第２被固定部であって、前記ハウジングに保持される前記第２被保持部と、前記中継基板に固定される前記第２被固定部とを備えており、
前記第１被保持部は、前記前後方向における前方から前記ハウジングに圧入されており、
前記第２被保持部は、前記前後方向における後方から前記ハウジングに圧入されている
コネクタを提供する。
【００１６】
本発明は、第６のコネクタとして、第５のコネクタであって、
前記支持部は、前記高さ方向において前記第２被固定部の下方に位置している
コネクタを提供する。
【００１７】
本発明は、第７のコネクタとして、第５又は第６のコネクタであって、
前記第２被保持部と前記第２被固定部との間に、前記第２被固定部から上方に隆起するように曲げられた曲げ部が形成されている
コネクタを提供する。
【００１８】
本発明は、第８のコネクタとして、第１乃至第７のいずれかのコネクタであって、
前記ハウジングは、前記中継基板の前記受容部に部分的に挿入される本体部と、前記本体部から前記幅方向に突出した側部とを備えており、
前記側部には、前記本体部が前記受容部に挿入された状態において前記中継基板の上に位置する煽り防止部が設けられている
コネクタを提供する。
【００１９】
本発明は、第９のコネクタとして、第１乃至第８のいずれかのコネクタであって、
前記接触部には、下方に突出したリブが形成されている
コネクタを提供する。
【００２０】
本発明は、第１０のコネクタとして、第１乃至第９のいずれかのコネクタであって、
前記支持部の前端部分は、前記高さ方向において先細るように形成されている
コネクタを提供する。
【発明の効果】
【００２１】
本発明によれば、被支持基板の一端を自由端としたため、被支持基板の取付作業を簡易化することができる。
【００２２】
また、被支持基板が、支持部材による支持の他は固定端部のみによって片持ち梁状に支持されるようにすれば、被支持基板を支持するために必要な部品を削減することができる。
【図面の簡単な説明】
【００２３】
【図１】本発明の実施の形態によるバックライトモジュールを示す斜視図である。
【図２】図１のバックライトモジュールを他の方向から示す斜視図である。
【図３】図２のバックライトモジュールのシャーシと中継基板とを示す分解斜視図である。
【図４】図３のシャーシと中継基板とを示す斜視図である。
【図５】図４のシャーシと中継基板とをV-V線に沿って示す断面図である。
【図６】図２のバックライトモジュールの中継基板の受容部付近とコネクタとを拡大して示す分解斜視図である。
【図７】図２のバックライトモジュールのコネクタとＬＥＤ搭載基板とを示す分解斜視図である。
【図８】図７のＬＥＤ搭載基板の固定端部付近（破線Ｃの部分）を示す部分拡大斜視図である。
【図９】図１のコネクタ付近（破線Ａの部分）を示す部分拡大斜視図である。
【図１０】図２のコネクタを示す分解斜視図である。
【図１１】図１０のコネクタを他の方向から示す分解斜視図である。
【図１２】図２のコネクタを示す斜視図である。
【図１３】図１２のコネクタを他の方向から示す斜視図である。
【図１４】図１２のコネクタを更に他の方向から示す斜視図である。
【図１５】図１０のコネクタのコンタクトを示す斜視図である。
【図１６】図２のバックライトモジュールをXVI-XVI線に沿って示す部分断面図である。ここでXVI-XVI線は、コンタクトのバネ部をＸ方向に沿って切断している。
【図１７】図２のバックライトモジュールをXVII-XVII線に沿って示す部分断面図である。
【図１８】図２のコネクタ付近（破線Ｂの部分）を示す部分拡大斜視図である。
【図１９】図２のバックライトモジュールをXIX-XIX線に沿って示す部分断面図である。ここでＬＥＤ搭載基板は上に向かって煽られている。
【図２０】従来のバックライトモジュールの一例を示す斜視図である。
【図２１】従来のＬＥＤ搭載基板の一例を示す斜視図である。
【発明を実施するための形態】
【００２４】
図１及び図２に示されるように、本実施の形態によるバックライトモジュール（モジュール）１０は、例えば液晶テレビに組み込まれるものであり、金属製のシャーシ（支持部材）１００と、中継基板２００と、複数のコネクタ３００と、複数のＬＥＤ搭載基板（被支持基板）４００とを備えている。
【００２５】
図３及び図４に示されるように、シャーシ１００は、幅方向（Ｙ方向）及び幅方向と直交する前後方向（Ｘ方向）の双方に延びており、Ｘ方向において前端１００ｆと後端１００ｒとを有している。シャーシ１００は、後端１００ｒ近傍及び前端１００ｆ近傍（即ち、Ｘ方向における両端部）に、第１端部１１０と第２端部１１２とをそれぞれ有している。詳しくは、本実施の形態によるシャーシ１００は、トレイ状に形成されており、Ｘ方向及びＹ方向の双方に延びる底板１０８と、前壁１０２と、後壁１０４と、２つの側壁１０６とを備えている。前壁１０２、後壁１０４及び２つの側壁１０６は、底板１０８を取り囲んでおり、幅方向（Ｙ方向）及び前後方向（Ｘ方向）の双方に直交する高さ方向（Ｚ方向）に延びている。後壁１０４及び前壁１０２は、第１端部１１０及び第２端部１１２に夫々形成されている。
【００２６】
図３乃至図５に示されるように、本実施の形態による底板１０８の後端１００ｒ付近には、Ｙ方向に沿って延びる傾斜部１１４が形成されている。Ｘ方向において底板１０８の前端１００ｆと傾斜部１１４との間には、支持面（基板支持部）１２０が形成されている。支持面１２０は、Ｚ方向と直交する平面上を延びており、傾斜部１１４は、支持面１２０から第１端部１１０に向かって下降している。換言すれば、シャーシ１００は、Ｘ方向における第１端部１１０と第２端部１１２との間に、Ｚ方向と直交する支持面１２０を有しており、第１端部１１０は、Ｚ方向において支持面１２０の下方に位置している。なお、本実施の形態における傾斜部１１４は緩やかに傾斜しているが、傾斜部１１４は急傾斜を有していてもよい。また、支持面１２０と第１端部１１０との間に傾斜部１１４ではなく階段状の段差を設けてもよい。
【００２７】
図３及び図４に示されるように、中継基板２００は、Ｙ方向に長手を有する平板形状に形成されている。中継基板２００は、Ｚ方向において中継基板２００を貫通する複数の受容部２１０を備えており、受容部２１０がＹ方向に沿って配列されるようにしてシャーシ１００の第１端部１１０上に搭載されている。
【００２８】
図４及び図５に示されるように、本実施の形態による中継基板２００は、Ｚ方向と直交する上面２０２を備えている。シャーシ１００の支持面１２０と中継基板２００の上面２０２とは、Ｚ方向において同じ位置に配置されている。なお、上記の支持面１２０と上面２０２とがＺ方向において同じ位置に配置されていると言うことは、同一位置に配置されていても、また、ほぼ同じ位置に配置されていても、どちらでも良いと言うことであり、シャーシ１００の支持面１２０と中継基板２００の上面２０２とはＺ方向において、若干ずれていても良いと言うことも示すものである（以下同様）。
【００２９】
図１乃至図４、及び図９に示されるように、中継基板２００は、給電部材２９０を備えている。給電部材２９０は、外部回路（図示せず）から供給された電気を、中継基板２００に設けられた電気回路（図示せず）を経由して、コネクタ３００の夫々に供給する。
【００３０】
図６に示されるように、本実施の形態による中継基板２００の受容部２１０は、Ｘ方向及びＹ方向において中継基板２００の内壁によって囲まれた孔であり、上方からコネクタ３００を挿入することができる。受容部２１０の周辺には、受容部２１０に挿入されたコネクタ３００を固定するための第１固定部２２０と第２固定部２２２とが形成されている。本実施の形態によれば、２つの第１固定部２２０が受容部２１０のＹ方向における両脇に夫々形成されており、２つの第２固定部２２２が受容部２１０のＸ方向における後方に形成されている。
【００３１】
受容部２１０は、例えば中継基板２００のＸ方向における後方を切り欠いた切り欠きであってもよい。
【００３２】
図７及び図８に示されるように、ＬＥＤ搭載基板４００は、Ｘ方向に長手を有する平板形状に形成されており、Ｚ方向における両側の面である上面４０６と底面４０８とを有している。上面４０６及び底面４０８の夫々は、Ｚ方向と直交する平面上を延びている。ＬＥＤ搭載基板４００は、コネクタ３００に接続・固定される固定端部４０２と、Ｘ方向における反対側の端部である自由端部４０４とを有している。本実施の形態による固定端部４０２は、ＬＥＤ搭載基板４００のＹ方向における中間部分を＋Ｘ方向に突出させるようにして形成されている。固定端部４０２のＺ方向における上面には、コネクタ３００と電気的に接続される２つの被接触部４１０が形成されている。ＬＥＤ搭載基板４００の上面４０６には、複数のＬＥＤ４９０が取り付けられている。ＬＥＤ４９０の夫々は、ＬＥＤ搭載基板４００に設けられた電気回路（図示せず）を経由して、２つの被接触部４１０と電気的に接続されている。
【００３３】
図１６及び図１８に示されるように、ＬＥＤ搭載基板４００の固定端部４０２がコネクタ３００に挿入・接続された状態において、ＬＥＤ搭載基板４００の底面４０８は、シャーシ１００の支持面１２０と接触しており、これによってＬＥＤ搭載基板４００はシャーシ１００に支持されている。本実施の形態によるＬＥＤ搭載基板４００は、シャーシ１００による支持の他は固定端部４０２のみによって片持ち梁状に支持されている。従って、ＬＥＤ搭載基板４００は、複数のＬＥＤ搭載基板４００に夫々対応した複数の支持部材を備えることなく、シャーシ１００とコネクタ３００のみによって安定的に支持することができる。なお、本実施の形態によれば、底面４０８の大部分が支持面１２０と接触しているが、底面４０８の一部のみが支持面１２０と接触するようにしてもよい。例えば、下方に突出した当接部を底面４０８に設けてもよい。また、ＬＥＤ搭載基板４００が下向きの力を受けた際にＬＥＤ搭載基板４００の底面４０８がシャーシ１００の支持面１２０に接触し、これによって支持面１２０がＬＥＤ搭載基板４００を支持するように構成されている限り、底面４０８と支持面１２０との間に多少の間隔が開いていてもよい。
【００３４】
図１０及び図１１に示されるように、本実施の形態によるコネクタ３００は、落とし込みタイプのコネクタであり、耐熱性の樹脂（絶縁性材料）からなるハウジング３１０と、２つの金属製のコンタクト３５０と、２つの金属製のホールドダウン３９０とを備えている。
【００３５】
図１０、図１１に示されるように、コネクタ３００は、ＬＥＤ搭載基板４００が夫々挿入される挿入口３２２を備えている。詳しくは、ハウジング３１０は、Ｘ方向における両端である前端３１０ｆと後端３１０ｒとを有している。ハウジング３１０には、ＬＥＤ搭載基板４００の固定端部４０２が挿入される（図１８参照）挿入孔３２０が形成されている。挿入孔３２０は、ハウジング３１０の後端３１０ｒから前端３１０ｆまで−Ｘ方向に沿って延びて前端３１０ｆに開口しており、これによって挿入口３２２が形成されている。換言すれば、ハウジング３１０は、＋Ｘ方向に沿って挿入口３２２から後端３１０ｒまで連通する挿入孔３２０を備えている。
【００３６】
図２及び図１８から理解されるように、コネクタ３００は、挿入口３２２をシャーシ１００の第２端部１１２に向けるようにして受容部２１０に夫々挿入されている。また、ＬＥＤ搭載基板４００の固定端部４０２は、＋Ｘ方向に沿ってコネクタ３００の挿入口３２２に挿入・接続されている。
【００３７】
図１３及び図１４に示されるように、ハウジング３１０は、本体部３３６と、２つの側部３３８とを備えている。側部３３８の夫々は、本体部３３６からＹ方向に突出している。ハウジング３１０には、Ｚ方向における上側の面である上面３３４が形成されている。上面３３４は、Ｚ方向と直交する平面上を延びる平坦な面であり、本体部３３６と側部３３８とは上面３３４において面一となっている。本体部３３６は、Ｚ方向における下端部に底板部３１４を備えている。一方、側部３３８の夫々には、Ｚ方向における下側の面である下面（煽り防止部）３４０が設けられている。Ｚ方向において、底板部３１４の下側の面は、煽り防止部３４０よりも低い位置に位置している。
【００３８】
図１８に示されるように、Ｙ方向において、ハウジング３１０の幅は受容部２１０の幅よりも大きく、本体部３３６の幅は受容部２１０の幅よりも小さい。また、本体部３３６は、Ｚ方向において側部３３８の下方に突出している。従って、ハウジング３１０の本体部３３６は、中継基板２００の受容部２１０に部分的に挿入される。本実施の形態によれば、本体部３３６が受容部２１０に挿入された状態において、煽り防止部３４０は中継基板２００の上方に位置し、底板部３１４はシャーシ１００の上方に位置する（図１６参照）。
【００３９】
図１０に示されるように、ハウジング３１０の側部３３８の夫々は、ホールドダウン３９０を保持する第１保持部３１２を備えている。本実施の形態による第１保持部３１２は、側部３３８に形成された圧入穴である。第１保持部３１２は、Ｘ方向及びＹ方向に延びており、前方（−Ｘ側）及び側方（＋Ｙ側又は−Ｙ側）に向かって開口している。
【００４０】
図１１に示されるように、ハウジング３１０の後端３１０ｒ付近には、複数の仕切り壁３２４が形成されている。仕切り壁３２４の夫々は、底板部３１４から上面３３４に向かって延びており、これにより挿入孔３２０は、２つのコンタクト挿入孔３３０を含む複数の小孔に分割されている（図１０参照）。コンタクト挿入孔３３０の夫々は、下端部に２つの第２保持部３３２を備えている。本実施の形態による第２保持部３３２は、仕切り壁３２４に形成された圧入穴であり、コンタクト挿入孔３３０のＹ方向における両端部に夫々形成されている。第２保持部３３２の夫々は、Ｘ方向及びＹ方向に延びており、後方（＋Ｘ側）に向かって開口している。
【００４１】
図１２に示されるように、ハウジング３１０の底板部３１４は、２箇所で−Ｚ方向に沿って凹んでおり、これによって２つの溝３１６が形成されている。溝３１６は、Ｘ方向に沿って前端３１０ｆから後端３１０ｒまで延びており、後端３１０ｒ付近ではコンタクト挿入孔３３０の一部となっている（図１１参照）。ハウジング３１０のうち挿入口３２２の上側に位置する部位は、２箇所で＋Ｚ方向に沿って凹んでおり、これによって２つの逃げ部３１８が形成されている。
【００４２】
図１０及び図１１から理解されるように、コネクタ３００のホールドダウン３９０は、金属板を打ち抜き、曲げ加工することで形成されている。ホールドダウン３９０は、ハウジング３１０を中継基板２００に固定するものであり、基部３９２と、ハウジング３１０の第１保持部３１２に圧入・保持される第１被保持部３９４と、半田等によって中継基板２００の第１固定部２２０に固定される第１被固定部３９６とを有している（図６参照）。基部３９２は、Ｘ方向及びＹ方向に延びており、後方（＋Ｘ側）先端に第１被保持部３９４が形成されている。第１被保持部３９４には、圧入突起が形成されている。基部３９２のＹ方向における一方の端部は下方に延びるように曲げられており、先端部にはＸ方向及びＹ方向に延びる第１被固定部３９６が形成されている。
【００４３】
図１０、図１１及び図１５から理解されるように、コネクタ３００のコンタクト３５０は、金属板を打ち抜き、曲げ加工することで形成されている。コンタクト３５０は、中継基板２００の給電部材２９０（図９参照）と、ＬＥＤ搭載基板４００のＬＥＤ４９０（図１８参照）とを電気的に接続するものであり、第２被保持部３５４と、第２被固定部３５６と、曲げ部３５８と、バネ部３６０と、支持部３７０とを有している。
【００４４】
図１０、図１１、図１３及び図１５に示されるように、第２被保持部３５４はＸ方向及びＹ方向に延びている。第２被保持部３５４は、ハウジング３１０の第２保持部３３２に圧入・保持されるものであり、第２被保持部３５４のＹ方向における両端部には圧入突起が形成されている。
【００４５】
図１０、図１１、図１５及び図１６に示されるように、第２被保持部３５４の前端部（−Ｘ側の端部）は２股に分かれて−Ｘ方向に夫々延びており、これによりＬＥＤ搭載基板４００と接続するバネ部３６０と、ＬＥＤ搭載基板４００を支持する支持部３７０とが形成されている。バネ部３６０と支持部３７０とは、Ｙ方向において間隔を開けて配置されており、挿入孔３２０内をＸ方向に沿って延びるようにしてハウジング３１０に支持されている。本実施の形態による支持部３７０は、Ｚ方向において第２被保持部３５４と同じ位置に位置しており、溝３１６にガイドされるようにして第２被保持部３５４から前端３１０ｆに向かって延びている。一方、バネ部３６０は、第２被保持部３５４から上方に延びた後、−Ｘ方向に延びており、これによりＺ方向において弾性変形可能となるように第２被保持部３５４に支持されている。バネ部３６０の前端部（−Ｘ側の端部）には、ＬＥＤ搭載基板４００の被接触部４１０と接触する接触部３６２が形成されている（図１８参照）。接触部３６２は、Ｚ方向において逃げ部３１８の下方に位置している。また、接触部３６２は、Ｚ方向において支持部３７０の上方に位置して下方に突出しており、且つＺ方向において変位可能であり、これによって、接触部３６２と支持部３７０とは挿入孔３２０内に挿入されたＬＥＤ搭載基板４００をＺ方向において挟み込むことが可能である。
【００４６】
図１５に示されるように、バネ部３６０の接触部３６２には、下方に突出したリブ３６４が形成されており、これによって接触部３６２と被接触部４１０との接触圧を高め、接触信頼性を向上させることができる（図１８参照）。
【００４７】
図１５及び図１６に示されるように、本実施の形態による支持部３７０は、前端部にテーパ部３７２を有している。より具体的には、支持部３７０の前端部は、Ｚ方向において先細るように形成されている。従って、ＬＥＤ搭載基板４００を挿入孔３２０内に、よりスムーズに挿入することができる。
【００４８】
図１０、図１１、図１５及び図１６に示されるように、第２被保持部３５４の後方（＋Ｘ側）には、Ｘ方向及びＹ方向に延びる第２被固定部３５６が形成されている。第２被固定部３５６は、半田等によって中継基板２００の第２固定部２２２に固定される。第２被保持部３５４と第２被固定部３５６との間（即ち、支持部３７０と第２被固定部３５６との間）には、第２被固定部３５６から上方に隆起するように曲げられた曲げ部３５８が形成されている。
【００４９】
図１６に示されるように、第２被保持部３５４及び支持部３７０は、Ｚ方向において第２被固定部３５６の下方に位置している。このため、曲げ部３５８を備えずに第２被固定部３５６を半田付けした場合、半田が第２被保持部３５４に向かって流れるおそれがある。本実施の形態においては、曲げ部３５８を備えているため第２被保持部３５４への半田上がりを防止することができる。更に、コンタクト３５０が受容部２１０の端部と接触することを防止することができる。
【００５０】
図１０乃至図１３に示されるように、ホールドダウン３９０の第１被保持部３９４は、Ｘ方向における前方からハウジング３１０に圧入・保持されており、コンタクト３５０の第２被保持部３５４は、Ｘ方向における後方からハウジング３１０に圧入・保持されている。また、ハウジング３１０に保持されたホールドダウン３９０は、中継基板２００の第１固定部２２０に固定されており、ハウジング３１０に保持されたコンタクト３５０は、中継基板２００の第２固定部２２２に固定されている（図６及び図１８参照）。換言すれば、ホールドダウン３９０とコンタクト３５０とは、ハウジング３１０を前後から挟むようにして中継基板２００に固定されている。更に、２つのホールドダウン３９０は、ハウジング３１０を左右から挟むようにして中継基板２００に固定されている。本実施の形態によれば、ホールドダウン３９０とコンタクト３５０とがハウジング３１０から抜け出ることを防止することができる。また、ＬＥＤ搭載基板４００が＋Ｚ方向へ煽られた際にコンタクト３５０が中継基板２００から剥がれたり破壊されたりすることを、より効果的に防止することができる。
【００５１】
図１７及び図１８に示されるように、コネクタ３００が中継基板２００に固定された状態において、コネクタ３００の下面（煽り防止部）３４０は中継基板２００の上面２０２の上方に位置している。図１９に示されるように、ＬＥＤ搭載基板４００が＋Ｚ方向に向かって煽られてコネクタ３００が傾いた場合であっても、煽り防止部３４０と上面２０２とが接触するので、コネクタ３００が更に傾くことを防止することができる。即ち、コンタクト３５０及びホールドダウン３９０が中継基板２００から剥離することを防止することができる。なお、本実施の形態における煽り防止部３４０は、コネクタ３００の下面３４０全体から形成されているが、煽り防止部３４０は面でなくてもよい。例えば、下面３４０の一部を下方に突出させるようにして煽り防止部を形成してもよい。また、本実施の形態による煽り防止部３４０と上面２０２とは、Ｚ方向において僅かな間隔を開けるようにして配置されているが、煽り防止部３４０と上面２０２とは間隔を開けず、接触していてもよい。
【００５２】
図１０及び図１１に示されるように、本実施の形態においては、バネ部３６０と支持部３７０とは、コンタクト３５０の一部として形成されており、第２被保持部３５４及び第２被固定部３５６は支持部３７０と一体に形成されているが、バネ部３６０と支持部３７０とを異なる金属板から形成してもよい。
【００５３】
また、コンタクト３５０のバネ部３６０と支持部３７０とを、Ｙ方向において同じ位置に位置するように曲げ加工してもよい。但し、このように構成する場合、バネ部３６０及び支持部３７０を形成するための工程が複雑化する。従って、製造工程を簡易化するためには本実施の形態のように構成することが好ましい。
【００５４】
更に、支持部３７０の前端部（−Ｘ側の端部）は、Ｚ方向において弾性変位可能となるように支持されていてもよい。但し、そのように構成するためには、底板部３１４の厚みを大きくする等により、支持部３７０の前端部が変位可能な領域を設ける必要がある（図１６参照）。従って、低背化という観点からは、本実施の形態のように構成することが好ましい。
【００５５】
なお、本実施の形態による支持部材はトレイ状のシャーシであるが、支持部材は平板形状に形成されていてもよいし、シャーシ以外の部材であってもよい。また、本実施の形態による被支持基板はＬＥＤ搭載基板であるが、本発明はＬＥＤ搭載基板以外の被支持基板にも適用可能である。
【符号の説明】
【００５６】
１０        バックライトモジュール（モジュール）
１００      シャーシ（支持部材）
１００ｆ    前端
１００ｒ    後端
１０２      前壁
１０４      後壁
１０６      側壁
１０８      底板
１１０      第１端部
１１２      第２端部
１１４      傾斜部
１２０      支持面（基板支持部）
２００      中継基板
２０２      上面
２１０      受容部
２２０      第１固定部
２２２      第２固定部
２９０      給電部材
３００      コネクタ
３１０      ハウジング
３１０ｆ    前端
３１０ｒ    後端
３１２      第１保持部
３１４      底板部
３１６      溝
３１８      逃げ部
３２０      挿入孔
３２２      挿入口
３２４      仕切り壁
３３０      コンタクト挿入孔
３３２      第２保持部
３３４      上面
３３６      本体部
３３８      側部
３４０      下面（煽り防止部）
３５０      コンタクト
３５４      第２被保持部
３５６      第２被固定部
３５８      曲げ部
３６０      バネ部
３６２      接触部
３６４      リブ
３７０      支持部
３７２      テーパ部
３９０      ホールドダウン
３９２      基部
３９４      第１被保持部
３９６      第１被固定部
４００      ＬＥＤ搭載基板（被支持基板）
４０２      固定端部
４０４      自由端部
４０６      上面
４０８      底面
４１０      被接触部
４９０      ＬＥＤ
【図１】
0005801116.tif 000002
【図２】
0005801116.tif 000003
【図３】
0005801116.tif 000004
【図４】
0005801116.tif 000005
【図５】
0005801116.tif 000006
【図６】
0005801116.tif 000007
【図７】
0005801116.tif 000008
【図８】
0005801116.tif 000009
【図９】
0005801116.tif 000010
【図１０】
0005801116.tif 000011
【図１１】
0005801116.tif 000012
【図１２】
0005801116.tif 000013
【図１３】
0005801116.tif 000014
【図１４】
0005801116.tif 000015
【図１５】
0005801116.tif 000016
【図１６】
0005801116.tif 000017
【図１７】
0005801116.tif 000018
【図１８】
0005801116.tif 000019
【図１９】
0005801116.tif 000020
【図２０】
0005801116.tif 000021
【図２１】
0005801116.tif 000022